(57)【要約】      （修正有）【課題】押さえ部から下方突出したピン部を複数設け、押さえ部の上側に上面を形成して、「倒れ込みの抑制」と「抜止め性の向上」等を同時に実現する。【解決手段】シート状物を地面に留める留め部材１である。シート状物を地面に押さえて留める押さえ部２を有し、押さえ部から下方突出し且つ地面に刺さるピン部３が複数設けられ、押さえ部の上側に、略面一状の上面４が形成されている。複数のピン部は、押さえ部に対して、所定の一方向Ｌに沿って並んで設けられるだけでなく、それ以外の別方向にも沿って並んで設けられていたり、重量が１ｋｇ以上１０ｋｇ以下であり、押さえ部の上側に取っ手５が設けられ、取っ手は、複数の足部５ａと把持部５ｂを有し、取っ手の下方に上面が位置すると同時に、取っ手の把持部と上面との間にクリアランスＣを有していても良い。【選択図】図２
2018068157.tif 000002
【特許請求の範囲】
【請求項１】
シート状物を地面に留める留め部材であって、
前記シート状物を地面に押さえて留める押さえ部を有し、この押さえ部から下方突出し且つ前記地面に刺さるピン部が複数設けられ、
前記押さえ部の上側に、略面一状の上面が形成されていることを特徴とする留め部材。
【請求項２】
前記複数のピン部は、前記押さえ部に対して、所定の一方向に沿って並んで設けられるだけでなく、前記一方向以外の別方向にも沿って並んで設けられていることを特徴とする請求項１に記載の留め部材。
【請求項３】
重量が１ｋｇ以上１０ｋｇ以下であり、
前記押さえ部の上側に取っ手が設けられ、
この取っ手は、前記押さえ部から上方突出した複数の足部と、これら複数の足部の上端間を亘る把持部を有し、
前記取っ手の下方に前記上面が位置すると同時に、前記取っ手の把持部と上面との間にクリアランスを有していることを特徴とする請求項１又は２に記載の留め部材。
【発明の詳細な説明】
【技術分野】
【０００１】
本発明は、シート状物を地面に留める留め部材に関する。
【背景技術】
【０００２】
従来、農業用マルチシートの押さえピンが知られている（特許文献１参照）。
この押さえピンは、地中に入る軸を波型形状にし、地中に押し込んだときに頭部を水平回転させることによって地中での抵抗を大きくしてピンの抜け易さを防止するようにしている。
【先行技術文献】
【特許文献】
【０００３】
【特許文献１】特開２００７−８２５２２号公報
【発明の概要】
【発明が解決しようとする課題】
【０００４】
しかしながら、特許文献１に記載された押さえピンは、地中に入る軸が１本しかないために、マルチシートが風等によって煽られたりズレた際に、押さえピンに何れの方向から力がかかっても、当該押さえピン全体が斜めに成り易い（地中で倒れ込み易い）。
更に、押さえピン全体が斜めになった分、押し込んだ地中と、その押さえピンの間に隙間が出来、その結果、押さえピンが抜け易くなる虞がある。
【０００５】
本発明は、このような点に鑑み、押さえ部から下方突出したピン部を複数設け、押さえ部の上側に上面を形成することで、「倒れ込みの抑制」と「抜止め性の向上」等を同時に実現する留め部材を提供することを目的とする。
【課題を解決するための手段】
【０００６】
本発明に係る留め部材１は、シート状物を地面に留める留め部材であって、前記シート状物を地面に押さえて留める押さえ部を有し、この押さえ部から下方突出し且つ前記地面に刺さるピン部が複数設けられ、前記押さえ部の上側に、略面一状の上面が形成されていることを第１の特徴とする。
【０００７】
本発明に係る留め部材１の第２の特徴は、上記第１の特徴に加えて、前記複数のピン部は、前記押さえ部に対して、所定の一方向に沿って並んで設けられるだけでなく、前記一方向以外の別方向にも沿って並んで設けられている点にある。
【０００８】
本発明に係る留め部材１の第３の特徴は、上記第２の特徴に加えて、重量が１ｋｇ以上１０ｋｇ以下であり、前記押さえ部の上側に取っ手が設けられ、この取っ手は、前記押さえ部から上方突出した複数の足部と、これら複数の足部の上端間を亘る把持部を有し、前記取っ手の下方に前記上面が位置すると同時に、前記取っ手の把持部と上面との間にクリアランスを有している点にある。
【０００９】
これらの特徴により、押さえ部２から下方突出したピン部３を複数設け、押さえ部２の上側に上面４を形成することによって、特許文献１とは異なり、シート状物Ｓが風等によって煽られたりズレても、ピン部３が複数あることによって、留め部材１全体として斜めに成り難い。
それは、ピン部３を押し込んだ地面（地中）Ｇと、そのピン部３等の間に隙間が出来難いことに繋がり、その結果、留め部材１が抜け難くなる。
つまり、「倒れ込みの抑制」と「抜止め性の向上」を同時に実現できる。
【００１０】
又、複数のピン部３を、所定の一方向Ｌに沿って並べて設けるだけでなく、別方向Ｌ’にも沿って並べて設けることによって、マルチシート等のシート状物Ｓが風等によって、一方向Ｌに沿って煽られたりズレた場合だけでなく、別方向Ｌ’に沿って煽られたりズレた場合にも、留め部材１全体が斜めに成り難いため、更なる抜止め性の向上が図れる。
【００１１】
更に、重量Ｊを１ｋｇ以上１０ｋｇ以下として、押さえ部２上側の取っ手５の下方に上面４を位置させ、取っ手５と上面４との間にクリアランスＣを設けることによって、少々の風が吹いても、留め部材１がより安定してシート状物Ｓが煽られたりズレることがなく、それに加えて、留め部材１のピン部３を地面Ｇに刺す際には、使用者の足部をクリアランスＣに入れて上面４を踏むことが出来るため、使用者の体重を留め部材１に掛け易く、ピン部３を深く地面Ｇに差し込んでより確りと留め部材１でマルチシート等のシート状物Ｓを留めることが可能となると共に、留め部材１を抜く際も、上述したクリアランスＣに、使用者の指を入れて取っ手５の把持部５ｂを把持できるため、留め部材１を抜く作業効率が上がる。
【発明の効果】
【００１２】
本発明に係る留め部材によると、押さえ部から下方突出したピン部を複数設け、押さえ部の上側に上面を形成することで、「倒れ込みの抑制」と「抜止め性の向上」等を同時に実現できる。
【図面の簡単な説明】
【００１３】
【図１】本発明の第１実施形態に係る留め部材を示す使用概要図であって、（ａ）は第１実施形態の留め部材の使用状態を示す斜視概要図であり、（ｂ）は第１実施形態の留め部材の使用状態を示す断面概要図である。
【図２】第１実施形態の留め部材を示す正面図である。
【図３】第１実施形態の留め部材を示す側面図である。
【図４】第１実施形態の留め部材を示す平面図である。
【図５】第１実施形態の留め部材を示す底面図である。
【図６】本発明の第２実施形態に係る留め部材を示す側面図である。
【図７】第２実施形態の留め部材を示す底面図である。
【発明を実施するための形態】
【００１４】
＜留め部材１の第１実施形態＞
以下、本発明の実施の形態を図面を参照して説明する。
図１〜５には、本発明に係る留め部材１が示されており、この留め部材１は、シート状物Ｓを地面Ｇに留めるものである。
【００１５】
留め部材１は、後述する押さえ部２やピン部３、上面４を少なくとも有しており、その他、取っ手５などを有していても構わない。
まずは、留め部材１が留めるシート状物Ｓと、シート状物Ｓを止める地面Ｇについて述べる。
【００１６】
＜シート状物Ｓ＞
図１に示したように、シート状物Ｓは、後述する畑等の地面Ｇを覆うシート状のものであって、農業用のマルチシートなどの他、地面Ｇを覆うことが出来るのであれば、ビニールシートやカバーシート（覆い）等であっても良い。
シート状物Ｓは、その形状、厚さ、色など特に限定はなく、その素材についても、合成樹脂性であったり、その他、不織布、寒冷紗など何れであっても構わない。
【００１７】
又、シート状物Ｓは、後述する苗等を出す孔が設けられるなど、何れの構成であっても良い。
この他、シート状物Ｓは、土手等に張り付けられる防草シートや、遮光シート、緑化用のシート等であっても構わない。
【００１８】
＜地面Ｇ＞
図１に示したように、地面Ｇは、上述したシート状物Ｓに覆われ、野菜や、花卉等の苗を定植する畑や田、ビニールシート内の耕地であっても良い。
又、地面Ｇは、水位の管理と収穫作業の利便性を備えるため、所定高さ（例えば、３０〜５０ｃｍ程）の畝が作られていても良く、この１つの畝に複数条（２条〜４条など）の苗を植えていても良い。
【００１９】
尚、地面Ｇは、畝以外の凹凸（隆起）があっても良く、又、凹凸のない表面が平ら（略面一）であっても構わない。
又、地面Ｇ、略水平であったり、全体が斜め（斜面）であっても良い。
以下、シート状物Ｓは、主に、苗の保湿、地温の保持、雑草防止等の為のマルチシートであって、地面Ｇは、畝のある畑であるとして述べる。
【００２０】
＜押さえ部２＞
図１〜５に示すように、押さえ部２は、上述したシート状物Ｓを地面Ｇに押さえて留めるものである。
押さえ部２は、シート状物Ｓを地面Ｇに押さえて留められるのであれば、何れの構成でも良いが、例えば、平面視で略矩形状（略長方形状）の板状材であっても良い。
【００２１】
押さえ部２が略長方形状の板状材の場合には、長辺と短辺（つまり、長さ方向（長手方向）と幅方向）を有することとなる（この長さ方向は、後述する所定の一方向Ｌであるとも言え、幅方向は、後述する別方向Ｌ’であるとも言える）。
尚、押さえ部２が略長方形状の板状材の場合、その角部が丸くても良く、この角部の丸みによって、マルチシート等のシート状物Ｓが、風で煽られるなどしても、穴が開き難かったり、傷がつき難くなる。
【００２２】
押さえ部２が略長方形状以外の場合でも、その押さえ部２が角部を有していれば、その角部が丸くても良い。一方、押さえ部２の角部は、丸くなく、角張っていても良い。
又、押さえ部２は、平面視で、略楕円形状の板状材であっても良く、この場合は、長径と短径（つまり、長径方向と短径方向）を有すこととなる（この長径方向は、後述する所定の一方向Ｌであるとも言え、短径方向は、後述する別方向Ｌ’であるとも言える）。
【００２３】
その他、押さえ部２は、平面視で、略正方形状や略円形状、略三角形状、略六角形状などの所定の形状の板状材であっても良い。
又、押さえ部２は、その厚み（高さ方向の値）も、特に限定はなく、何れの値であっても良い。
以下、押さえ部２は、主に略長方形状の板状材であるとして述べる。
【００２４】
＜ピン部３＞
図１〜３、５に示したように、ピン部３は、上述した押さえ部２から下方突出し且つ地面Ｇに刺さるものであり、１つの押さえ部２に対して複数設けられている。
ピン部３の個数は、複数（２つ以上）であれば、特に限定はないが、例えば、３つや４つ、５つ以上であっても良い。
【００２５】
ピン部３の配置は、押さえ部２に対して、所定の一方向Ｌ（例えば、上述の長さ方向や長径方向など）に沿って、所定の間隔（ピン間隔）で並んで設けられても良い。
この場合、複数のピン部３は、一方向Ｌ以外の別方向Ｌ’における略中央位置（例えば、上述の幅方向や短径方向における略中央位置など）に設けられていても構わない。
【００２６】
各ピン部３は、地面Ｇに刺さるのであれば、何れの構成でも良いが、例えば、先端が尖っていたり、先端に行くに連れて細くなり略円錐状であっても良い。
逆に、各ピン部３は、先端が尖っておらず、全体として略円柱状であっても良く、その太さや長さも特に限定はない。
【００２７】
＜上面４＞
図１〜４に示したように、上面４は、上述した押さえ部２の上側に形成された略面一状の面である。
この上面４によって、留め部材１のピン部３を地面Ｇに刺す際には、使用者の足部を後述するクリアランスＣに入れて上面４を踏むことが出来るため、使用者の体重を留め部材１に掛け易く、ピン部３を深く地面Ｇ差し込んでより確りと留め部材１でマルチシート等のシート状物Ｓを留めることが可能となる。
【００２８】
従って、上面４は、踏み面であるとも言える。
又、上面４は、使用者が足部で踏むことが出来、全体として略面一状であれば、滑止め処理が施されて（ドット状の凸部などが設けられて）いても良い。
【００２９】
＜取っ手５、足部５ａ、把持部５ｂ＞
図１〜４に示すように、取っ手５は、上述の押さえ部２の上側に設けられ、使用者が把持可能な部分である。
取っ手５は、上述の押さえ部２から上方突出した複数の足部５ａと、これら複数の足部５ａの上端間を亘る把持部５ｂを有している。
【００３０】
取っ手５の足部５ａの数は、複数であれば、特に限定はないが、例えば、例えば、３つや２つ、４つ以上であっても良い。
足部５ａの配置も、押さえ部２に対して、所定の一方向Ｌ（例えば、上述の長さ方向や長径方向など）に沿って、所定間隔で並んで設けられても良い。
【００３１】
この場合、複数の足部５ａは、一方向Ｌ以外の別方向Ｌ’における略中央位置（例えば、上述の幅方向や短径方向における略中央位置など）に設けられていても構わない。
取っ手５全体としての形状も、特に限定はないが、例えば、正面視で、略台形状（左右端側の足部５ａが斜めに設けられた形状）であったり、略矩形状（左右端側の足部５ａが押さえ部２に対して略直立した形状）であっても良い。
ここまで述べた取っ手５の下方に、上述の上面４が位置する。
【００３２】
＜クリアランスＣ＞
図２に示すように、クリアランスＣは、上述した取っ手５の把持部５ｂと上面４との間にある隙間（空間）である。
このようなクリアランスＣを設けることによって、留め部材１のピン部３を地面Ｇに刺す際には、使用者の足部をクリアランスＣに入れて上面４を踏むことが出来るため、使用者の体重を留め部材１に掛け易く、ピン部３を深く地面Ｇに差し込んでより確りと留め部材１でマルチシート等のシート状物Ｓを留めることが可能となる。
【００３３】
従って、クリアランスＣは、踏み空間であるとも言える。
これと共に、留め部材１を抜く際も、上述したクリアランスＣに、使用者の指を入れて取っ手５の把持部５ｂを把持できるため、留め部材１を抜く作業効率が上がる。
【００３４】
＜留め部材１の重量Ｊ＞
留め部材１の重量Ｊも、特に限定はないが、例えば、１ｋｇ以上１０ｋｇ以下、好ましくは２ｋｇ以上９ｋｇ以下、更に好ましくは３ｋｇ以上８ｋｇ以下であっても良い。
留め部材１がこのような重量Ｊとなることで、少々の風が吹いても、留め部材１がより安定してシート状物Ｓが煽られたりズレることがない。
又、このような重量Ｊである場合、留め部材１の素材は、鉄等の金属や石など、比重の重いものとなる。
【００３５】
＜留め部材１の第２実施形態＞
図６、７は、本発明の第２実施形態に係る留め部材１を示す図である。
この第２実施形態において第１実施形態と最も異なるのは、上述した複数（６つなど）のピン部３が、１つの押さえ部２に対して、所定の一方向Ｌに沿って並んで設けられるだけでなく、一方向Ｌ以外の別方向Ｌ’にも沿って並んで設けられている点にある。
【００３６】
第２実施形態において、一方向Ｌと別方向Ｌ’は、互いに平行でなければ、それぞれが何れの方向でも良いが、例えば、一方向Ｌが、上述の押さえ部２における長さ方向や長径方向などを意味し、別方向Ｌ’が、上述の押さえ部２における幅方向や短径方向などを意味しても構わない（この場合には、ピン部３とピン部３との間に、押さえ部２における幅方向（別方向Ｌ’）距離を有するとも言える）。
第２実施形態における一方向Ｌが、上述の押さえ部２における長さ方向や長径方向などを意味する場合、別方向Ｌ’は、その他、略長方形状の押さえ部２の対角線方向や、長さ方向と幅方向（又は、長径方向と短径方向）の両方に交わる斜め方向を意味しても構わない。
【００３７】
尚、複数のピン部３は、一方向Ｌにおけるピン間隔と、別方向Ｌ’におけるピン間隔が同じでも異なっていても良く、又、所定広さの押さえ部２におけるピン部３の数は、ピン密度であるとも言える。
その他の留め部材１の構成、作用効果及び使用態様は、第１実施形態と同様である。
【００３８】
＜その他＞
本発明は、前述した実施形態に限定されるものではない。留め部材１等の各構成又は全体の構造、形状、寸法などは、本発明の趣旨に沿って適宜変更することが出来る。
留め部材１の素材は、特に限定はないが、鉄等の金属や石、合成樹脂の他、木材などであっても良い。
【００３９】
留め部材１の素材が鉄等の金属の場合は、上述した押さえ部２やピン部３、上面４、取っ手５等を、溶接などによって一体にしても良い。
留め部材１の素材が鉄等の金属の場合は、留め部材１の表面に錆止め処理をしても良い。
【００４０】
留め部材１の素材が石、合成樹脂の場合は、押さえ部２やピン部３、上面４、取っ手５等をまとめて一体成型しても良く、押さえ部２やピン部３、上面４、取っ手５を、接着や嵌合いなどによって一体にしても良い。
留め部材１の素材が木材の場合は、押さえ部２やピン部３、上面４、取っ手５等を、接着や嵌合いなどによって一体にしても良い。
【００４１】
留め部材１の色は、何れの色でも構わないが、白色などでも良い。
留め部材１が取っ手５を有している場合、留め部材１のピン部３を地面Ｇに刺す際には、取っ手５を上方から使用者が踏むことで、使用者の体重を留め部材１に掛けて、ピン部３を地面に差し込んでも良い。
【産業上の利用可能性】
【００４２】
本発明に係る留め部材は、農業用のマルチシートだけでなく、その他のビニールシートやカバーシート（覆い）などの何れのシート状物にも利用でき、田や畑の土手等に張り付けられる防草シートや、遮光シート、緑化用のシート等として用いたり、更には、工事現場や、農業以外の林業や畜産業、漁業などの他の産業においても利用可能である。
【符号の説明】
【００４３】
１        留め部材
２        押さえ部
３        ピン部
４        上面
５        取っ手
５ａ      取っ手の足部
５ｂ      取っ手の把持部
Ｓ        シート状物
Ｇ        地面
Ｌ        所定の一方向
Ｌ’      別方向
Ｊ        留め部材の重量
Ｃ        クリアランス
【図１】
2018068157.tif 000003
【図２】
2018068157.tif 000004
【図３】
2018068157.tif 000005
【図４】
2018068157.tif 000006
【図５】
2018068157.tif 000007
【図６】
2018068157.tif 000008
【図７】
2018068157.tif 000009